(57)【要約】【課題】ＩＰ電話網および回線交換網に接続可能な共用端末の通信を充分サポートできる通信システム、加入者管理サーバ、および通信システムの制御方法を提供する。【解決手段】端末１の位置登録時、または端末１からの発呼時に、ＩＭＳ網１０の加入者管理サーバ１２、および回線交換網２０の加入者管理サーバ２２との間で端末１、２（…）の加入者情報を授受（１０１、１０１）することにより、端末１、２（…）の加入者情報を共有し、該加入者情報を用いてＩＭＳ網１０の呼制御サーバ１１、および回線交換網の呼制御サーバ２１が端末１、２（…）からの発呼を仲介するとともに、転送サービスのような付加サービスを提供する。【選択図】図１
2008244751.tif 000002
【特許請求の範囲】
【請求項１】
ＩＰ電話網および回線交換網、および前記ＩＰ電話網または前記回線交換網のいずれか一方に接続可能な共用端末を含む通信システムにおいて、
前記ＩＰ電話網の加入者管理サーバ、および前記回線交換網の加入者管理サーバとの間で、前記共用端末の加入者情報を授受する通信手段を有し、
共用端末の位置登録時、または共用端末からの発呼時に、前記ＩＰ電話網の加入者管理サーバ、および前記回線交換網の加入者管理サーバとの間で前記通信手段を介して共用端末の加入者情報を授受することにより、加入者情報を共有し、該加入者情報を用いて前記ＩＰ電話網の呼制御サーバ、および前記回線交換網の呼制御サーバが共用端末からの発呼を仲介することを特徴とする通信システム。
【請求項２】
ＩＰ電話網、および回線交換網、および前記ＩＰ電話網、または前記回線交換網のいずれか一方に接続可能な共用端末を含む通信システムにおいて、
前記ＩＰ電話網、および前記回線交換網における加入者情報の登録に用いられ、前記ＩＰ電話網、および前記回線交換網で共用される加入者管理サーバを有し、
共用端末の位置登録時に前記加入者管理サーバに対して該共用端末の加入者情報が登録され、共用端末からの発呼時に、前記加入者管理サーバに登録された加入者情報を用いて前記ＩＰ電話網の呼制御サーバ、および前記回線交換網の呼制御サーバが共用端末からの発呼を仲介することを特徴とする通信システム。
【請求項３】
請求項１または２に記載の通信システムにおいて、前記加入者管理サーバに前記加入者情報とともに、前記共用端末に関して提供すべき付加的な通信サービスに関するサービス情報が登録され、該サービス情報を用いて前記共用端末に対して当該の通信サービスが提供されることを特徴とする通信システム。
【請求項４】
請求項３に記載の通信システムにおいて、前記通信サービスが前記共用端末間の呼を別の端末に転送する転送サービスであることを特徴とする通信システム。
【請求項５】
ＩＰ電話網および回線交換網、および前記ＩＰ電話網または前記回線交換網のいずれか一方に接続可能な共用端末を含む通信システムの、前記ＩＰ電話網または回線交換網に設置される加入者管理サーバにおいて、
自機が設置される前記ＩＰ電話網または回線交換網とは異なる側の前記回線交換網またはＩＰ電話網に設置される加入者管理サーバとの間で前記共用端末の加入者情報を授受する通信手段を有し、
共用端末の位置登録時、または共用端末からの発呼時に、自機が設置される前記ＩＰ電話網または回線交換網とは異なる側の前記回線交換網またはＩＰ電話網に設置される加入者管理サーバとの間で前記通信手段を介して共用端末の加入者情報を授受することにより、加入者情報を共有することを特徴とする加入者管理サーバ。
【請求項６】
ＩＰ電話網および回線交換網、および前記ＩＰ電話網または前記回線交換網のいずれか一方に接続可能な共用端末を含む通信システムの、前記ＩＰ電話網または回線交換網に設置される加入者管理サーバにおいて、
前記ＩＰ電話網、および前記回線交換網における加入者情報の登録に共用されるべく、前記ＩＰ電話網、および前記回線交換網の呼制御サーバとの間で前記加入者情報を授受する通信手段を有し、
共用端末の位置登録時に前記通信手段を介して前記呼制御サーバとの間で授受された該共用端末の加入者情報を登録することを特徴とする加入者管理サーバ。
【請求項７】
請求項５または６に記載の加入者管理サーバにおいて、前記加入者情報とともに、前記共用端末に関して提供すべき付加的な通信サービスに関するサービス情報が登録されることを特徴とする加入者管理サーバ。
【請求項８】
請求項７に記載の加入者管理サーバにおいて、前記通信サービスが前記共用端末間の呼を別の端末に転送する転送サービスであることを特徴とする加入者管理サーバ。
【請求項９】
ＩＰ電話網および回線交換網、および前記ＩＰ電話網または前記回線交換網のいずれか一方に接続可能な共用端末を含む通信システムの制御方法において、
共用端末の位置登録時、または共用端末からの発呼時に、前記ＩＰ電話網の加入者管理サーバ、および前記回線交換網の加入者管理サーバとの間で共用端末の加入者情報を授受することにより、加入者情報を共有し、該加入者情報を用いて前記ＩＰ電話網の呼制御サーバ、および前記回線交換網の呼制御サーバが共用端末からの発呼を仲介することを特徴とする通信システムの制御方法。
【請求項１０】
ＩＰ電話網、および回線交換網、および前記ＩＰ電話網、または前記回線交換網のいずれか一方に接続可能な共用端末を含む通信システムの制御方法において、
前記ＩＰ電話網、および前記回線交換網における加入者情報の登録に用いられ、前記ＩＰ電話網、および前記回線交換網で共用される加入者管理サーバを用い、
共用端末の位置登録時に前記加入者管理サーバに対して該共用端末の加入者情報が登録され、共用端末からの発呼時に、前記加入者管理サーバに登録された加入者情報を用いて前記ＩＰ電話網の呼制御サーバ、および前記回線交換網の呼制御サーバが共用端末からの発呼を仲介することを特徴とする通信システムの制御方法。
【請求項１１】
請求項９または１０に記載の通信システムの制御方法において、前記加入者管理サーバに前記加入者情報とともに、前記共用端末に関して提供すべき付加的な通信サービスに関するサービス情報が登録され、該サービス情報を用いて前記共用端末に対して当該の通信サービスが提供されることを特徴とする通信システムの制御方法。
【請求項１２】
請求項１１に記載の通信システムの制御方法において、前記通信サービスが前記共用端末間の呼を別の端末に転送する転送サービスであることを特徴とする通信システムの制御方法。
【発明の詳細な説明】
【技術分野】
【０００１】
本発明は、ＩＰ電話網および回線交換網、および前記ＩＰ電話網または前記回線交換網のいずれか一方に接続可能な共用端末を含む通信システム、同通信システムで用いられる加入者管理サーバ、およびその通信システムの制御方法に関するものである。
【背景技術】
【０００２】
従来より、ＩＰ網上で音声通信を行うＶｏＩＰ（ＩＰ電話）サービスは、運用、課金などの面から見ても旧来の回線交換網を利用した公衆回線電話網（ＰＳＴＮ）よりも安価なシステム構築が可能であることから、注目を集めている。
【０００３】
また、携帯電話などの移動体通信システムや、公衆無線ＬＡＮ、公衆回線電話網など各種の通信ネットワークを、ＶｏＩＰ技術を中心として統合し次世代ネットワークを構築しようとする技術、規格が提案、整備されつつある。
【０００４】
この種の次世代ネットワークアーキテクチャとしては、たとえば、３ＧＰＰ（３ｒｄ  Ｇｅｎｅｒａｔｉｏｎ  Ｐａｒｔｎｅｒｓｈｉｐ  Ｐｒｏｊｅｃｔ）によるＩＭＳ（ＩＰ  Ｍｕｌｔｉｍｅｄｉａ  Ｓｕｂｓｙｓｔｅｍ）が知られている（たとえば下記の非特許文献１）。このＩＭＳのようなネットワークは、ＩＰ網上に構築されたＩＰ電話網のネットワークアーキテクチャと考えることができる。
【０００５】
このようなＩＰ電話網では、発呼時に発呼端末と、呼制御サーバの間で、ＳＩＰ（Ｓｅｓｓｉｏｎ  Ｉｎｉｔｉａｔｉｏｎ  Ｐｒｏｔｏｃｏｌ）により着呼端末を特定し、両端末どうしの接続が仲介される。
【０００６】
ＳＩＰは、現行の各ＩＰ電話サービスにおいて、ＲＦＣ３２６１などで提案された仕様にほぼ基づく技術が既に実用化されているが、上記のＩＭＳなど、次世代ネットワークとして考えられている通信システムでは、さらに拡張されたヘッダを有するＳＩＰメッセージを用いる構成が提案されている（たとえば下記の非特許文献２、および３）。
【０００７】
また、３ＧＰＰのような通信システムでは、種々のネットワークを基盤として構築されるさまざまなアクセス網からの発呼を相互に接続し、またアクセス網間でのローミングなどを可能とするために、加入者情報を管理するデータベースとして、ＨＳＳ（Ｈｏｍｅ  Ｓｕｂｓｃｒｉｂｅｒ  Ｓｅｒｖｅｒ：ホーム加入者サーバ）のような加入者管理サーバをＩＰ網上に配置する。
【０００８】
また、旧来、呼制御サーバ、特に発着呼端末間で呼接続を仲介するＳＩＰサーバは、３ＧＰＰのようなＳＩＰ通信システムではＣＳＣＦ（Ｃａｌｌ  Ｓｅｓｓｉｏｎ  Ｃｏｎｔｒｏｌ  Ｆｕｎｃｔｉｏｎ）は、と呼ばれている。
【０００９】
通常、ＳＩＰ端末がサービスエリアに入ると、ＳＩＰ端末とＣＳＣＦとの間で位置登録シーケンス（通常、ＲＥＧＩＳＴＥＲメッセージが用いられる）が行なわれる。これに応じてＣＳＣＦとＨＳＳの間で、加入者情報や付加サービスに関する情報が交換されるが、このシーケンスは、ユーザＩＤないし電話番号などのユーザ情報に係わるものであるから、Ｄｉａｍｅｔｅｒプロトコル（上述の非特許文献４）のような認証プロトコルが用いられる。Ｄｉａｍｅｔｅｒプロトコルの場合、この加入者情報や付加サービスに関する情報を交換するシーケンスはＳＡＲ／ＳＡＡメッセージを交換することにより行われる（Ｄｉａｍｅｔｅｒ  Ｃｘ  インターフェース）。
【００１０】
【非特許文献１】3GPP IP Multimedia Subsystem (IMS):http://www.3gpp.org/ftp/Specs/html-info/23228.htm
【非特許文献２】IMS call control protocol based on SIP and SDP:http://www.3gpp.org/ftp/Specs/html-info/24229.htm
【非特許文献３】RFC3455 3GPP SIP拡張ヘッダ：http://www.ietf.org/rfc/rfc3455.txt
【非特許文献４】RFC3588 Diameter Base Protocol：http://www.ietf.org/rfc/rfc3588.txt
【発明の開示】
【発明が解決しようとする課題】
【００１１】
一方、現状では、携帯電話網のように、基幹部分においては基本的にはＩＰ技術を用いない回線交換網（ＣＳ網）のアーキテクチャによる移動端末通信網が広く利用されている。また、ＣＳ網についても、いわゆる３Ｇ（第三世代携帯電話）として、国際電気通信連合（ＩＴＵ）によりＩＭＴ−２０００のようなネットワークアーキテクチャが提案されている。ＩＭＴ−２０００では、ｃｄｍａ２０００、Ｗ−ＣＤＭＡ、ＥＤＧＥ、ＴＤ−ＳＣＤＭＡといった各無線方式をいずれもサポートし、これらを組合せて利用することが考えられている。また、このようなＣＳ網では、加入者管理サーバは、ＨＬＲ（Ｈｏｍｅ  Ｌｏｃａｔｉｏｎ  Ｒｅｇｉｓｔｅｒ）などと呼ばれる。
【００１２】
上述のＩＰ電話網として構成されたＩＭＳ網、ＩＭＴ−２０００のようなＣＳ網のいずれかが将来、淘汰されてしまうのであるとしても、今後、次世代通信網が整備されていく段階においては、上記のＩＭＳ網、およびＣＳ網の双方が並存する期間があり得ると考えられる。
【００１３】
このような過渡的な環境においては、加入者が１台の端末でＩＰ電話網とＣＳ網とのいずれにも接続できれば便利であると考えられ、また、そのような機能を有する共用端末には高い付加価値が認められると考えられる。
【００１４】
ところが、現実には、ＩＭＳのようなＩＰ電話網と、たとえばＩＭＴ−２０００のようなＣＳ網とのいずれにも接続できるような共用端末をサポートできるよう、これらＩＰ電話網とＣＳ網を連携させるための通信システム、加入者管理サーバ、通信端末、および通信方法などに関する構成が充分整備されていない。
【００１５】
たとえば、上記の加入者管理サーバ、すなわちＩＰ電話網におけるＨＳＳ、およびＣＳ網におけるＨＬＲの加入者情報をどのように共有するか、また、これらの加入者管理サーバの加入者情報をどのようして共用端末の位置登録や接続を受け付けるＩＰ電話網およびＣＳ網の呼制御サーバに利用させるか、あるいはさらにそのような共用端末からの発呼を他の他の端末に転送するかなどについては、現在では充分考慮されていない。
【００１６】
本発明の課題は、上記の問題に鑑み、ＩＰ電話網および回線交換網に接続可能な共用端末の通信を充分サポートできる通信システム、加入者管理サーバ、および通信システムの制御方法を提供することにある。
【課題を解決するための手段】
【００１７】
課題を解決するため、本発明では、ＩＰ電話網および回線交換網、および前記ＩＰ電話網または前記回線交換網のいずれか一方に接続可能な共用端末を含む通信システム、同通信システムで用いられる加入者管理サーバ、およびその通信システムの制御方法において、共用端末の位置登録時、または共用端末からの発呼時に、前記ＩＰ電話網の加入者管理サーバ、および前記回線交換網の加入者管理サーバとの間で共用端末の加入者情報を授受することにより、加入者情報を共有し、該加入者情報を用いて前記ＩＰ電話網の呼制御サーバ、および前記回線交換網の呼制御サーバが共用端末からの発呼を仲介する構成、あるいは、前記ＩＰ電話網、および前記回線交換網における加入者情報の登録に用いられ、前記ＩＰ電話網、および前記回線交換網で共用される加入者管理サーバを用い、共用端末の位置登録時に前記加入者管理サーバに対して該共用端末の加入者情報が登録され、共用端末からの発呼時に、前記加入者管理サーバに登録された加入者情報を用いて前記ＩＰ電話網の呼制御サーバ、および前記回線交換網の呼制御サーバが共用端末からの発呼を仲介する構成を採用した。
【発明の効果】
【００１８】
上記構成によれば、ＩＰ電話網の加入者管理サーバ、および回線交換網の加入者管理サーバとの間で共用端末の加入者情報を授受し、加入者情報を共有することにより、あるいは、ＩＰ電話網、および回線交換網で共用される加入者管理サーバを用い、共用端末の位置登録時に加入者管理サーバに対して該共用端末の加入者情報を登録することにより、ＩＰ電話網、および前記回線交換網の呼制御サーバは、他方の網に接続している共用端末の加入者情報を利用し、ＩＰ電話網および前記回線交換網の両網間を超える呼接続、および付加サービスを提供することができる、すなわち、ＩＰ電話網および回線交換網に接続可能な共用端末の通信を充分にサポートできる、という優れた効果がある。
【発明を実施するための最良の形態】
【００１９】
以下、図面を参照し、本発明を実施するための最良の形態の一例として、ＩＰ電話網およびＣＳ網を通信環境とする通信システム、この通信システムで加入者情報を共有する、あるいは連携する加入者管理サーバ、およびこのような通信システムにおける通信方法に関する２つの実施例を示す。なお、以下の各実施例では、ＩＰ電話網としては上述のＩＭＳ網のアーキテクチャを想定するが、同等のＩＰ電話網であれば各実施例と同等の構成を実施できるのはいうまでもない。
【実施例１】
【００２０】
本実施例の通信システムの構成を図１に示す。図１において、符号１および２は、それぞれ端末Ａ、Ｂを、１０、および２０はそれぞれＩＭＳ網、およびＣＳ網を示す。
【００２１】
これら端末１、２（Ａ、Ｂ）は、ユーザの設定操作に応じて、あるいは現在位置に応じて、ＩＭＳ網、およびＣＳ網のいずれか一方に接続できるよう構成された共用端末としての製品仕様を有する。
【００２２】
この場合、ＩＭＳ網、およびＣＳ網が同一キャリアにより設置されるか、あるいはＩＭＳ網、およびＣＳ網が異なるキャリアにより設置され、ローミングにより端末１、２がそのいずれかに接続されるかは任意である。いずれにしても端末１、２は、ＩＭＳ網、およびＣＳ網に同時に接続することはできず、一方のみに接続できるよう構成されるものとする。
【００２３】
ＩＭＳ網１０は、ＩＰ網上に構築され、呼制御サーバ（ＣＳＣＦ）１１、および加入者管理サーバ（ＨＳＳ）１２を含む。呼制御サーバ１１は、ＳＩＰプロトコルを介して端末１の位置登録（ＲＥＧＩＳＴＥＲ）ないし発呼（ＩＮＶＩＴＥ）を受け付ける。
【００２４】
また、呼制御サーバ１１が、端末１からの位置登録ないし発呼を受け付ける際、加入者管理サーバ１２の加入者データが参照され、位置登録ないし発呼に必要な処理、たとえば認証や課金の制御が行われる。この際、呼制御サーバ１１と加入者管理サーバ１２の情報交換には、Ｄｉａｍｅｔｅｒ  Ｃｘ  インターフェースが用いられる。
【００２５】
一方、ＣＳ網２０は回線交換網として構成された、たとえば上述のＩＭＴ−２０００のような通信網であるものとする。このＣＳ網２０には、呼制御サーバ２１、および加入者管理サーバ２２が配置される。呼制御サーバ２１は、たとえば、Ｉｕ−ＣＳ／Ｕｕのようなプロトコルを介して端末２からの位置登録ないし発呼を受け付ける。
【００２６】
呼制御サーバ２１が端末２からの位置登録ないし発呼を受け付ける際、加入者管理サーバ２２の加入者データが参照され、位置登録ないし発呼に必要な処理、たとえば認証や課金の制御が行われる。この際、呼制御サーバ２１と、加入者管理サーバ２２の間の通信は、適当なコアネットワークプロトコル、たとえばＭＡＰ（Ｍｏｂｉｌｅ  Ａｐｐｌｉｃａｔｉｏｎ  Ｐｒｏｔｏｃｏｌ）などが用いられる。
【００２７】
ＩＭＳ網１０とＣＳ網２０の相互接続は、ゲートウェイ３０を用いて行われる。ゲートウェイ３０には、たとえば、ＩＭＳにおけるＭＧＣＦ（Ｍｅｄｉａ  Ｇａｔｅｗａｙ  Ｃｏｎｔｒｏｌ  Ｆｕｎｃｔｉｏｎ）のような機器を用いることができる。
【００２８】
ゲートウェイ３０のインターフェースプロトコルとしては、たとえば、ＩＭＳ網１０側の呼制御サーバ１１とゲートウェイ３０の間ではＳＩＰが、ＣＳ網２０の呼制御サーバ２１とゲートウェイ３０の間ではＩＳＵＰ（Ｔｈｅ  Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）が用いられる。
【００２９】
なお、図１に示したネットワークアーキテクチャ、あるいはプロトコルや信号形式はあくまでも一例で、ＩＭＳ網１０はＩＰ電話網、ＣＳ網２０は回線電話網であればよく、これらの網、あるいは網間で用いられるプロトコルや信号形式は当業者によって任意に選択でき、後述の本実施例の技術は同様に適用できる。
【００３０】
以上の構成においては、上述のようにＩＭＳ網１０およびＣＳ網２０には、加入者管理サーバ１２、２２がそれぞれ配置されている。図１において、端末情報Ａ、および端末情報Ｂはそれぞれ端末１、および２の加入者情報に相当する。そして、上述のように、端末１、２は、ＩＭＳ網、およびＣＳ網に同時に接続することはできず、一方のみに接続できるよう構成される。
【００３１】
このような状況下において、従来では、加入者管理サーバ１２、２２の加入者情報を共有することができなかった。たとえば、加入者管理サーバ１２、２２の両者に共通の加入者情報を登録するような形態、あるいは加入者管理サーバ１２、２２が必要なタイミングで相互に加入者情報を要求しあうような形態で加入者情報を利用することができなかった。
【００３２】
このため、従来技術によると、ＩＭＳ網１０またはＣＳ網２０の呼制御サーバ１１、１２が端末１、および２の双方の加入者情報を利用できるような接続形態が形成されている状態、すなわち、端末１、および２が両者ともＩＭＳ網１０、またはＣＳ網２０のいずれか一方の同一網に接続（位置登録）している状態でしか、相互に発呼しあうことができなかった。
【００３３】
そこで、本実施例では、加入者管理サーバ１２、２２の両者に共通の加入者情報（図２の例では図１の端末情報Ａ）を登録する形態、あるいは加入者管理サーバ１２、２２が必要なタイミングで相互に加入者情報（図３の例では図１の端末情報Ｂ）を要求しあう形態で、加入者管理サーバ１２、２２が相互に加入者情報を利用できるようにする。
【００３４】
このために、本実施例では、図１に符号１０１で示すように、加入者管理サーバ１２、２２が位置登録の際、あるいは必要なタイミングで、ＭＡＰプロトコルを利用して通信できるよう構成する。このため、加入者管理サーバ１２、２２にはそれぞれ加入者管理サーバ同士の通信手段としてＭＡＰで通信するための通信インターフェースを設けておく。
【００３５】
図２および図３は、本実施例における位置登録シーケンスの例を示している。このうち、図２は端末１（Ａ）が、ＩＭＳ網１０の特定のサービスエリアに入り、位置登録を行う場合のシーケンス例を、図３は端末２（Ｂ）が、ＣＳ網２０の特定のサービスエリアに入り、位置登録を行う場合のシーケンス例を示している。
【００３６】
図２において、端末１（Ａ）が、ＩＭＳ網１０の特定のサービスエリアに入ると、端末１は、ＳＩＰメッセージＲＥＧＩＳＴＥＲを用いて呼制御サーバ１１に位置登録を行なう（２０１）。呼制御サーバ１１は、加入者管理サーバ１２とＤｉａｍｅｔｅｒ  Ｃｘ  インターフェースを介してＳＡＲメッセージ交換する（２０２）。
【００３７】
このようにして、端末１の位置情報Ａが呼制御サーバ１１に伝えられ（２０１、２０２）、加入者管理サーバ１２で記録される（２０３）。
【００３８】
さらに、本実施例では、加入者管理サーバ１２および２２はＭＡＰプロトコルにより通信し、端末１の位置情報Ａが加入者管理サーバ２２に送信され（２０４）、記録される（２０５）。加入者管理サーバ２２は、端末１の位置情報Ａに基づき、端末Ａ基本設定情報、および付加サービスなどに関する端末Ａサービス情報を登録する。
【００３９】
そして、加入者管理サーバ２２は、ＭＡＰプロトコルにより端末Ａ基本設定情報（あるいはさらに端末Ａサービス情報）を加入者管理サーバ１２に送信し（２０６）、加入者管理サーバ１２は端末Ａ基本設定情報（あるいはさらに端末Ａサービス情報）を登録する（２０７）。
【００４０】
さらに、加入者管理サーバ１２は、Ｄｉａｍｅｔｅｒ  Ｃｘ  インターフェースを介してＳＡＡメッセージを送信することにより、端末Ａ基本設定情報（あるいはさらに端末Ａサービス情報）を呼制御サーバ１１に送信し（２０８）、呼制御サーバ１１でこの端末Ａ基本設定情報（あるいはさらに端末Ａサービス情報）が記録される（２０９）。
【００４１】
以上のようにして、ＩＭＳ／ＣＳの両網１０、２０の加入者管理サーバ１２および２２に共通の端末１の位置情報Ａが登録され、また、呼制御サーバ１および２には、共通の端末１の設定情報、すなわち端末Ａ基本設定情報がともに登録される。
【００４２】
また、図３において、端末２（Ｂ）がＣＳ網２０の特定のサービスエリアに入ると、端末２は自機の位置情報ＢをＩｕ−ＣＳ／Ｕｕプロトコルを用いて呼制御サーバ２１に登録する（１ｘ  ｒｅｇｉｓｔｅｒ３０１）。この位置情報ＢはＭＡＰプロトコルを介して加入者管理サーバ２２に送信され（ＡＵＴＨＲＥＱ／ＲＥＧＮＯＴ３０２）、加入者管理サーバ２２で登録される（３０３）。
【００４３】
加入者管理サーバ２２は、端末２の位置情報Ｂに基づき、端末Ｂ基本設定情報、および付加サービスなどに関する端末Ｂサービス情報を登録する。端末Ｂ基本設定情報は、ＭＡＰプロトコルを介して呼制御サーバ２１に送信され（ｒｅｇｎｏｔ３０４）、呼制御サーバ２１に登録される（３０５）。
【００４４】
図２および図３の位置登録シーケンスが済めば、図４および図５にそれぞれ示すように端末１（Ａ）から端末２（Ｂ）への発呼や、さらに端末３（Ｃ）への転送が可能となる。
【００４５】
図４は、上記のように位置登録された端末１（Ａ）から端末２（Ｂ）への発呼シーケンスの一例を示している。
【００４６】
図４において、端末１（Ａ）が端末２（Ｂ）をダイヤルすると、呼制御サーバ１１にＳＩＰメッセージＩＮＶＩＴＥが送信される（４０１）。
【００４７】
呼制御サーバ１１は、加入者管理サーバ１２に対して、Ｄｉａｍｅｔｅｒ  Ｃｘ  インターフェースを介してＬＩＲメッセージを送信し、端末２（Ｂ）の加入者Ｂの現在位置を問い合せる（４０２）。
【００４８】
図４の位置登録状態では、端末２（Ｂ）の位置情報／設定情報は、加入者管理サーバ１２に登録されていないから、加入者管理サーバ１２は、登録のない加入者への発呼を検出すると、ＭＡＰプロトコルを用いて加入者Ｂの現在位置を加入者管理サーバ２２に問い合せる（４０３）。これに対して、加入者管理サーバ２２は、加入者Ｂの位置情報Ｂを用い、加入者Ｂの現在位置をＭＡＰプロトコルを用いて加入者管理サーバ１２に通知する（４０４）。
【００４９】
加入者管理サーバ１２は、Ｄｉａｍｅｔｅｒ  Ｃｘ  インターフェースを介してＬＩＡメッセージを送信し、加入者ＢがＣＳ網２０側に居る旨、通知する（４０５）。
【００５０】
このようにして、呼制御サーバ１１は端末ＢがＣＳ網２０側に位置登録していることを認識できるので、呼制御サーバ１１はゲートウェイ３０に対してＳＩＰメッセージＩＮＶＩＴＥを送信する（４０６）。
【００５１】
これに応じて、ゲートウェイ３０はＩＳＵＰインターフェースを用いて、ＣＳ網２０側の呼制御サーバ２１と通信し（ＩＡＭ４０７、ＴＣＩＲ／ｔｃｉｒ／ＬＯＣＲＥＱ／ｌｏｃｒｅｑ４０８）、呼制御サーバ２１が端末２（Ｂ）に対してページリクエストを送信する（４０９）ことにより、端末１（Ａ）から端末２（Ｂ）への呼接続が行なわれる。
【００５２】
図４のようにして、加入者管理サーバ１２および２２が必要なタイミングで加入者情報（位置情報／設定情報）を交換することにより、ＩＭＳ網１０に位置登録している端末１からＣＳ網２０に位置登録している端末２への発呼が可能となる。
【００５３】
また、加入者管理サーバ１２および２２が交換する加入者情報は上記のような位置情報／設定情報に限定されず、図５のように加入者情報として付加サービス情報を交換することもできる。これにより、第３の端末への呼の転送が可能となる。
【００５４】
図５は、端末１（Ａ）から端末２（Ｂ）への呼を端末３（Ｃ）へ転送する場合のシーケンス例を示している。図５の例では、端末１（Ａ）、端末２（Ｂ）、および端末３（Ｃ）は、いずれもＩＭＳ網１０に位置登録しているものとする。この場合、端末３（Ｃ）は、少なくともＩＭＳ網１０に接続できる端末、あるいは、端末１（Ａ）、端末２（Ｂ）と同等の端末であるものとする。
【００５５】
各端末の位置登録は、図２と同等のシーケンスにより行なわれ、その結果、図５に示すように、ＩＭＳ網１０の呼制御サーバ１１には、端末Ａ、Ｂ、Ｃの基本設定情報が登録されている。また、ＣＳ網２０の加入者管理サーバ２２には端末Ａ、Ｂ、Ｃの位置情報、基本設定情報、および付加的な通信サービスを制御するためのサービス情報が登録されている。
【００５６】
また、端末２（Ｂ）は、自機への呼を端末３（Ｃ）に転送する転送サービス設定を行なっており、この転送設定に応じた転送制御を指定する情報が端末Ｂのサービス情報として加入者管理サーバ２２に登録されている。
【００５７】
このような状態において、加入者管理サーバ１２および２２は、発着呼の際、加入者情報を必要なタイミングで要求しあうことにより、端末Ａから端末Ｂへの呼をさらに端末Ｃに転送することができる。
【００５８】
図５において、端末１（Ａ）が端末２（Ｂ）を発呼すると、前述同様に呼制御サーバ１１にＳＩＰメッセージが送信される（５０１）。
【００５９】
これに応じて、呼制御サーバ１１は加入者管理サーバ１２に対して、Ｄｉａｍｅｔｅｒ  Ｃｘ  インターフェースを介してＬＩＲメッセージを送信し、端末２（Ｂ）の加入者Ｂの現在位置を問い合せる（５０２）。
【００６０】
図５の位置登録状態では、端末２（Ｂ）の位置情報／設定情報は、加入者管理サーバ１２に登録されている。ここで、図５の例では、図２の場合のように加入者管理サーバ１２に端末２（Ｂ）のサービス情報が転送されていないものとする。この場合、ＩＭＳ側の加入者管理サーバ１２は、ＭＡＰプロトコルにより、ＣＳ側の加入者管理サーバ２２に加入者Ｂの現在のサービスの使用状態を問い合せる（５０３）。
【００６１】
これに対して、ＣＳ側の加入者管理サーバ２２は、ＭＡＰプロトコルにより、加入者Ｂは転送サービスを利用中で、その転送先が端末３（Ｃ）である旨、応答する（５０４）。さらに、加入者管理サーバ１２からＤｉａｍｅｔｅｒ  Ｃｘ  インターフェースを介してＬＩＡメッセージを送信することにより、加入者Ｂが転送サービスを利用中で、その転送先は端末３（Ｃ）である旨の情報が呼制御サーバ１１に通知される（５０５）。
【００６２】
これに対して、呼制御サーバ１１は、加入者管理サーバ１２に対して、Ｄｉａｍｅｔｅｒ  Ｃｘ  インターフェースを介してＬＩＲメッセージを送信し、端末３（Ｃ）の加入者Ｃの現在位置を問い合せる（５０６）。
【００６３】
ここで、端末Ｃ（３）の位置情報／設定情報は、加入者管理サーバ１２に既に登録されているので、加入者管理サーバ１２がＤｉａｍｅｔｅｒ  Ｃｘ  インターフェースを介してＬＩＡメッセージを送信することにより、端末Ｃ（３）が呼制御サーバ１１配下に位置する旨の情報が、呼制御サーバ１１に通知される（５０８）。また、加入者管理サーバ１２は、併せて、ＭＡＰプロトコルにより、加入者管理サーバ２２に加入者Ｃの現在のサービスの使用状態を問い合せる（５０７）。このシーケンスは加入者Ｃの端末がさらに転送などのサービスを設定している可能性があるために必要である。
【００６４】
以上のようにして、呼制御サーバ１１は、ＩＮＶＩＴＥメッセージ（５０９）の送信先を特定することができ、端末１（Ａ）から端末２（Ｂ）への呼を端末３（Ｃ）に転送することができる。
【００６５】
上記のように、本実施例によれば、ＩＭＳ網１０／ＣＳ網２０の加入者管理サーバ１２、２２で加入者情報を共有する、特に、加入者情報（図２の例では図１の端末情報Ａ）を登録する形態、あるいは加入者管理サーバ１２、２２が必要なタイミングで相互に加入者情報（図３の例では図１の端末情報Ｂ）を要求しあう形態で、加入者管理サーバ１２、２２が相互に加入者情報を利用することができる。
【００６６】
これにより、本実施例によれば、ＩＭＳ網１０／ＣＳ網２０のいずれにも接続できる端末１、２、３…に対して、これら端末がいずれの網に接続している場合でも、ＩＭＳ網１０／ＣＳ網２０の間で相互に発呼を行うことができ、あるいはさらに共有されている加入者情報を参照して転送などの付加サービスを提供することができる。
【００６７】
すなわち、本実施例によれば、ＩＭＳ網、およびＣＳ網の呼制御サーバは、他方の網に接続している共用端末の加入者情報を利用し、ＩＭＳ網およびＣＳ網の両網間を超える呼接続、および付加サービスを提供することができる、すなわち、ＩＭＳ網およびＣＳ網に接続可能な共用端末の通信を充分にサポートできる、という優れた効果がある。
【実施例２】
【００６８】
以上の実施例では、ＩＭＳ網１０／ＣＳ網２０のそれぞれに加入者管理サーバ１２、２２が設けられるネットワークアーキテクチャを例示した。しかしながら、本実施例のように同一の加入者管理サーバをＩＭＳ網１０／ＣＳ網２０で共有する構成も考えられる。
【００６９】
以下、本実施例の通信システムの構成および動作につき説明するが、ここでは、実施例１の図１〜図５と同一ないし相当する部材には同一符号を付し、その詳細な説明は特に必要がない限り、省略するものとする。
【００７０】
図６は、本実施例の通信システムの構成を示している。図６の構成が実施例１との相違するのは、図１との比較から明かなように、ＩＭＳ網１０／ＣＳ網２０で共用する加入者管理サーバ３１がＩＭＳ網１０／ＣＳ網２０の間に１台のみ設けられている点である。
【００７１】
本実施例においては、端末１（Ａ）および端末２（Ｂ）のいずれの端末情報ＡおよびＢ（加入者情報）も、この共通の加入者管理サーバ３１に登録する。
【００７２】
そして、ＩＭＳ網１０／ＣＳ網２０の呼制御サーバ１１および２１は、加入者管理サーバ３１の登録情報を参照して、発呼／転送などの通信制御を行なう。このとき、呼制御サーバ１１は、加入者管理サーバ３１との通信にＤｉａｍｅｔｅｒ  Ｃｘ  インターフェースを用い、呼制御サーバ２１は加入者管理サーバ３１との通信にＭＡＰプロトコルを用いる。
【００７３】
したがって、加入者管理サーバ３１には、ＩＭＳ網１０側にＤｉａｍｅｔｅｒ通信インターフェースＣＳ網２０側にＭＡＰで通信するための通信インターフェースを設けておけばよい。
【００７４】
図７および図８は、本実施例における位置登録シーケンスの例を示している。このうち、図７は端末１（Ａ）が、ＩＭＳ網１０の特定のサービスエリアに入り、位置登録を行う場合のシーケンス例を、図８は端末２（Ｂ）が、ＣＳ網２０の特定のサービスエリアに入り、位置登録を行う場合のシーケンス例を示している。
【００７５】
図７において、端末１（Ａ）が、ＩＭＳ網１０の特定のサービスエリアに入ると、端末１は、ＳＩＰメッセージＲＥＧＩＳＴＥＲを用いて呼制御サーバ１１に位置登録を行なう（７０１）。呼制御サーバ１１は、加入者管理サーバ３１とＤｉａｍｅｔｅｒ  Ｃｘ  インターフェースを介してＳＡＲメッセージ交換する（７０２）。
【００７６】
このようにして、端末１の位置情報Ａが呼制御サーバ１１に伝えられ（７０１、７０２）、加入者管理サーバ３１で記録される（７０３）。
【００７７】
さらに、加入者管理サーバ３１は、Ｄｉａｍｅｔｅｒ  Ｃｘ  インターフェースを介してＳＡＡメッセージを送信することにより、端末Ａ基本設定情報（あるいはさらに端末Ａサービス情報）を呼制御サーバ１１に送信し（７０４）、呼制御サーバ１１でこの端末Ａ基本設定情報（あるいはさらに端末Ａサービス情報）が記録される（７０５）。
【００７８】
以上のようにして、ＩＭＳ／ＣＳの両網１０、２０で共有する加入者管理サーバ３１に端末１の位置情報Ａが登録され、また、呼制御サーバ１には、端末１の設定情報、すなわち端末Ａ基本設定情報が登録される。
【００７９】
また、図３において、端末２（Ｂ）がＣＳ網２０の特定のサービスエリアに入ると、端末２は自機の位置情報ＢをＩｕ−ＣＳ／Ｕｕプロトコルを用いて呼制御サーバ２１に登録する（１ｘ  ｒｅｇｉｓｔｅｒ８０１）。この位置情報ＢはＭＡＰプロトコルを介して加入者管理サーバ３１に送信され（ＡＵＴＨＲＥＱ／ＲＥＧＮＯＴ８０２）、加入者管理サーバ３１で登録される（８０３）。
【００８０】
加入者管理サーバ３１は、端末２の位置情報Ｂに基づき、端末Ｂ基本設定情報、あるいはさらに付加サービスなどに関する端末Ｂサービス情報を登録する。端末Ｂ基本設定情報は、ＭＡＰプロトコルを介して呼制御サーバ２１に送信され（ｒｅｇｎｏｔ８０４）、呼制御サーバ２１に登録される（８０５）。
【００８１】
図７および図８の位置登録シーケンスが済んだ状態では、図９および図１０にそれぞれ示すように端末１（Ａ）から端末２（Ｂ）への発呼や、さらに端末３（Ｃ）への転送が可能となる。
【００８２】
図７は、上記のように位置登録された端末１（Ａ）から端末２（Ｂ）への発呼シーケンスの一例を示している。
【００８３】
図７において、端末１（Ａ）が端末２（Ｂ）をダイヤルすると、呼制御サーバ１１にＳＩＰメッセージＩＮＶＩＴＥが送信される（９０１）。
【００８４】
呼制御サーバ１１は、加入者管理サーバ３１に対して、Ｄｉａｍｅｔｅｒ  Ｃｘ  インターフェースを介してＬＩＲメッセージを送信し、端末２（Ｂ）の加入者Ｂの現在位置を問い合せる（９０２）。
【００８５】
図９の位置登録状態では、端末１（Ａ）および端末２（Ｂ）の位置情報／設定情報は、いずれも加入者管理サーバ３１に登録されているので、加入者管理サーバ３１は、直ちにＤｉａｍｅｔｅｒ  Ｃｘ  インターフェースを介してＬＩＡメッセージを送信し、加入者ＢがＣＳ網２０側に居る旨、通知する（９０３）。
【００８６】
これにより、呼制御サーバ１１は、端末ＢがＣＳ網２０側に位置登録していることを認識し、呼制御サーバ１１はゲートウェイ３０に対してＳＩＰメッセージＩＮＶＩＴＥを送信する（９０４）。
【００８７】
これに応じて、ゲートウェイ３０はＩＳＵＰインターフェースを用いて、ＣＳ網２０側の呼制御サーバ２１と通信し（ＩＡＭ９０５、ＴＣＩＲ／ｔｃｉｒ／ＬＯＣＲＥＱ／ｌｏｃｒｅｑ９０６）、呼制御サーバ２１が端末２（Ｂ）に対してページリクエストを送信する（９０７）ことにより、端末１（Ａ）から端末２（Ｂ）への呼接続が行なわれる。
【００８８】
図９のようにして、ＩＭＳ網１０／ＣＳ網２０で共有する加入者管理サーバ３１に対して、ＩＭＳ網１０／ＣＳ網２０双方の端末の位置登録を行ない、加入者情報（位置情報／設定情報）を管理することにより、ＩＭＳ網１０に位置登録している端末１からＣＳ網２０に位置登録している端末２への発呼が可能となる。また、同様に、ＣＳ網２０に位置登録している端末２からＩＭＳ網１０に位置登録している端末１への発呼が可能となる。
【００８９】
図１０は、端末１（Ａ）から端末２（Ｂ）への呼を端末３（Ｃ）へ転送する場合のシーケンス例を示している。図１０の例では、端末１（Ａ）、端末２（Ｂ）、および端末３（Ｃ）は、いずれもＩＭＳ網１０に位置登録しているものとする。この場合、端末３（Ｃ）は、少なくともＩＭＳ網１０に接続できる端末、あるいは、端末１（Ａ）、端末２（Ｂ）と同等の端末であるものとする。
【００９０】
各端末の位置登録は、図７と同等のシーケンスにより行なわれ、その結果、図１０に示すように、ＩＭＳ網１０の呼制御サーバ１１には、端末Ａ、Ｂ、Ｃの基本設定情報が登録されている。また、ＩＭＳ網１０／ＣＳ網２０共用の加入者管理サーバ３１には端末Ａ、Ｂ、Ｃの位置情報、基本設定情報、およびサービス情報が登録されている。
【００９１】
また、端末２（Ｂ）は、自機への呼を端末Ｃ（３）に転送する転送設定を行なっており、この転送設定に応じた転送制御を指定する情報が端末Ｂのサービス情報として加入者管理サーバ３１に登録されている。
【００９２】
このような状態において、呼制御サーバ１１は、加入者管理サーバ３１の加入者情報を利用し、端末Ａから端末Ｂへの呼をさらに端末Ｃに転送することができる。
【００９３】
図１０において、端末１（Ａ）が端末２（Ｂ）を発呼すると、前述同様に呼制御サーバ１１にＳＩＰメッセージが送信される（１００１）。
【００９４】
これに応じて、呼制御サーバ１１は加入者管理サーバ３１に対して、Ｄｉａｍｅｔｅｒ  Ｃｘ  インターフェースを介してＬＩＲメッセージを送信し、端末２（Ｂ）の加入者Ｂの現在位置を問い合せる（１００２）。
【００９５】
図１０の位置登録状態では、端末２（Ｂ）の位置情報／設定情報／サービス情報は、全て加入者管理サーバ３１に既に登録されているので、加入者管理サーバ３１がＤｉａｍｅｔｅｒ  Ｃｘ  インターフェースを介してＬＩＡメッセージを送信することにより、加入者Ｂが転送サービスを利用中で、その転送先は端末３（Ｃ）である旨の情報が呼制御サーバ１１に通知される（１００３）。
【００９６】
これに対して、呼制御サーバ１１は、加入者管理サーバ３１に対して、Ｄｉａｍｅｔｅｒ  Ｃｘ  インターフェースを介してＬＩＲメッセージを送信し、端末３（Ｃ）の加入者Ｃの現在位置を問い合せる（１００４）。
【００９７】
ここで、端末Ｃ（３）の位置情報／設定情報は、加入者管理サーバ３１に既に登録されているので、加入者管理サーバ３１がＤｉａｍｅｔｅｒ  Ｃｘ  インターフェースを介してＬＩＡメッセージを送信することにより、端末Ｃ（３）が呼制御サーバ１１配下に位置する旨の情報が、呼制御サーバ１１に通知される（１００５）。
【００９８】
以上のようにして、呼制御サーバ１１は、ＩＮＶＩＴＥメッセージ（１００６）の送信先を特定することができ、端末１（Ａ）から端末２（Ｂ）への呼を端末３（Ｃ）に転送することができる。
【００９９】
上記のように、本実施例では、ＩＭＳ網１０／ＣＳ網２０で共用する加入者管理サーバ３１をＩＭＳ網１０／ＣＳ網２０の間に１台のみ設け、端末１（Ａ）、端末２（Ｂ）、端末３（Ｃ）のいずれの端末情報（加入者情報）も、この共通の加入者管理サーバ３１に登録する構成を採用している。
【０１００】
したがって、ＩＭＳ網１０／ＣＳ網２０のいずれの呼制御サーバ１１、２１は、加入者管理サーバ３１にアクセスするだけで、端末１（Ａ）、端末２（Ｂ）、端末３（Ｃ）のいずれの加入者情報を利用できる。
【０１０１】
これにより、本実施例によれば、ＩＭＳ網１０／ＣＳ網２０のいずれにも接続できる端末１、２、３…に対して、これら端末がいずれの網に接続している場合でも、ＩＭＳ網１０／ＣＳ網２０の間で相互に発呼を行うことができ、あるいはさらに共有されている加入者情報を参照して転送などの付加サービスを提供することができる。
【０１０２】
すなわち、本実施例においても、ＩＭＳ網、およびＣＳ網の呼制御サーバは、他方の網に接続している共用端末の加入者情報を利用し、ＩＭＳ網およびＣＳ網の両網間を超える呼接続、および付加サービスを提供することができる、すなわち、ＩＭＳ網およびＣＳ網に接続可能な共用端末の通信を充分にサポートできる、という優れた効果がある。
【図面の簡単な説明】
【０１０３】
【図１】本発明を採用した通信システムの構成を示した説明図である（実施例１）。
【図２】図１の通信システムにおける位置登録シーケンスの例を示した説明図である。
【図３】図１の通信システムにおける位置登録シーケンスの例を示した説明図である。
【図４】図１の通信システムにおける発呼シーケンスの例を示した説明図である。
【図５】図１の通信システムにおける呼転送シーケンスの例を示した説明図である。
【図６】本発明を採用した通信システムの構成を示した説明図である（実施例２）。
【図７】図６の通信システムにおける位置登録シーケンスの例を示した説明図である。
【図８】図６の通信システムにおける位置登録シーケンスの例を示した説明図である。
【図９】図６の通信システムにおける発呼シーケンスの例を示した説明図である。
【図１０】図６の通信システムにおける呼転送シーケンスの例を示した説明図である。
【符号の説明】
【０１０４】
１１、２１  呼制御サーバ
１２、２２  加入者管理サーバ
３０  ゲートウェイ
３１  加入者管理サーバ
【図１】
2008244751.tif 000003
【図２】
2008244751.tif 000004
【図３】
2008244751.tif 000005
【図４】
2008244751.tif 000006
【図５】
2008244751.tif 000007
【図６】
2008244751.tif 000008
【図７】
2008244751.tif 000009
【図８】
2008244751.tif 000010
【図９】
2008244751.tif 000011
【図１０】
2008244751.tif 000012